【手続補正書】
【提出日】平成25年10月17日(2013.10.17)
【手続補正１】
【補正対象書類名】特許請求の範囲
【補正対象項目名】全文
【補正方法】変更
【補正の内容】
【特許請求の範囲】
【請求項１】
記録媒体に記録を行う記録ヘッド、前記記録ヘッドを駆動して前記記録媒体に記録を行うための駆動データを展開するバッファー、前記バッファーに展開された記録開始位置を示す情報と前記駆動データに関する情報とを記憶する記憶部を有する記録装置と、
前記記録装置の前記記憶部に記憶される前記記録開始位置を示す情報と前記駆動データに関する情報との応答を要求し、前記記録装置からの当該要求に対する応答に基づいて前記記録装置の異常を検出する制御部を有する制御装置と、
を備えることを特徴とする記録システム。
【請求項２】
記録ヘッドで記録媒体に記録を行う記録装置でデータを受信し、
受信したデータに基づいて前記記録ヘッドを駆動して前記記録媒体に記録を行うための駆動データを生成し、
生成した前記駆動データをバッファーに展開し、
前記バッファーに展開された記録開始位置を示す情報及び前記駆動データに関する情報を記憶し、
前記記録装置に記憶される前記記録開始位置を示す情報及び前記駆動データに関する情報の応答を制御装置から前記記録装置に要求し、
前記記録装置からの当該要求に対する応答に基づいて、前記制御装置で前記記録装置の異常を検出することを特徴とする記録システムの制御方法。
【請求項３】
前記記録装置からの応答に基づいて前記記録装置の異常を検出した場合、前記制御装置は、前記記録装置に前記バッファーをクリアさせるコマンドを送信する請求項２に記載の記録システムの制御方法。
【請求項４】
前記記録装置で所定の一連の記録を行わせている間に、前記記録装置の異常を検出した場合は、前記コマンドを送信して当該記録装置の異常を解消させた後、前記所定の一連の記録を最初から行わせる要求を送信する請求項３に記載の記録システムの制御方法。
【請求項５】
前記制御装置は、前記記録装置に前記データに続く第２のデータを送信する前に前記応答を要求し、当該要求に対する応答に基づいて、当該データに係る処理を前記記録装置が正常に実行できるか否かを判別する請求項２ないし４のいずれか１項に記載の記録システムの制御方法。
【請求項６】
前記制御装置は、前記第２のデータに係る処理を前記記録装置が正常に実行できないと判別した場合、前記記録装置を制御して、当該処理を実行できる状態へと移行させる請求項５に記載の記録システムの制御方法。
【請求項７】
前記制御装置は、前記記録装置の前記記録開始位置の情報と前記駆動データに関する情報との組み合わせが、前記第２のデータに係る処理を正常に実行可能な組み合わせでないことに起因して、当該処理を前記記録装置が正常に実行できないと判別した場合、
前記記録装置に、前記バッファーをクリアさせる前記コマンドを送信することにより、前記記録開始位置と前記駆動データに関する情報との組み合わせを、当該処理を正常に実行可能な組み合わせとした上で、前記第２のデータを送信する請求項６に記載の記録システムの制御方法。
【手続補正２】
【補正対象書類名】明細書
【補正対象項目名】発明の名称
【補正方法】変更
【補正の内容】
【発明の名称】記録システム、及び、記録システムの制御方法
【手続補正３】
【補正対象書類名】明細書
【補正対象項目名】０００１
【補正方法】変更
【補正の内容】
【０００１】
本発明は、記録媒体に記録を行う記録装置と制御装置とを備える記録システム、及び、当該記録システムの制御方法に関する。
【手続補正４】
【補正対象書類名】明細書
【補正対象項目名】０００５
【補正方法】変更
【補正の内容】
【０００５】
上記目的を達成するために、本発明は、記録システムであって、記録媒体に記録を行う記録ヘッド、前記記録ヘッドを駆動して前記記録媒体に記録を行うための駆動データを展開するバッファー、前記バッファーに展開された記録開始位置を示す情報と前記駆動データに関する情報とを記憶する記憶部を有する記録装置と、前記記録装置の前記記憶部に記憶される前記記録開始位置を示す情報と前記駆動データに関する情報との応答を要求し、前記記録装置からの当該要求に対する応答に基づいて前記記録装置の異常を検出する制御部を有する制御装置と、を備えることを特徴とする。
また、上記目的を達成するために、本発明は、記録システムの制御方法であって、記録ヘッドで記録媒体に記録を行う記録装置でデータを受信し、受信したデータに基づいて前記記録ヘッドを駆動して前記記録媒体に記録を行うための駆動データを生成し、生成した前記駆動データをバッファーに展開し、前記バッファーに展開された記録開始位置を示す情報及び前記駆動データに関する情報を記憶し、前記記録装置に記憶される前記記録開始位置を示す情報及び前記駆動データに関する情報の応答を制御装置から前記記録装置に要求し、前記記録装置からの当該要求に対する応答に基づいて、前記制御装置で前記記録装置の異常を検出することを特徴とする。
また、本発明は、前記記録装置からの応答に基づいて前記記録装置の異常を検出した場合、前記制御装置は、前記記録装置に前記バッファーをクリアさせるコマンドを送信する。
また、本発明は、前記記録装置で所定の一連の記録を行わせている間に、前記記録装置の異常を検出した場合は、前記コマンドを送信して当該記録装置の異常を解消させた後、前記所定の一連の記録を最初から行わせる要求を送信する。
また、本発明は、前記制御装置は、前記記録装置に前記データに続く第２のデータを送信する前に前記応答を要求し、当該要求に対する応答に基づいて、当該データに係る処理を前記記録装置が正常に実行できるか否かを判別する。
また、本発明は、前記制御装置は、前記第２のデータに係る処理を前記記録装置が正常に実行できないと判別した場合、前記記録装置を制御して、当該処理を実行できる状態へと移行させる。
また、本発明は、前記制御装置は、前記記録装置の前記記録開始位置の情報と前記駆動データに関する情報との組み合わせが、前記第２のデータに係る処理を正常に実行可能な組み合わせでないことに起因して、当該処理を前記記録装置が正常に実行できないと判別した場合、前記記録装置に、前記バッファーをクリアさせる前記コマンドを送信することにより、前記記録開始位置と前記駆動データに関する情報との組み合わせを、当該処理を正常に実行可能な組み合わせとした上で、前記第２のデータを送信する。
また、上記目的を達成するために、本発明は、受信したデータに基づき、記録ヘッドを駆動して記録媒体に記録を行うための駆動データを生成してバッファーに展開し、前記バッファーにおける記録開始位置を示す情報、及び、前記バッファーにおける駆動前の前記駆動データに関する情報を記憶する記録装置に接続可能な制御装置であって、前記記録装置に対して、記憶されている前記記録開始位置を示す情報、及び、前記駆動データに関する情報の応答を要求し、前記記録装置からの当該要求に対する応答に基づいて、前記記録装置の異常を検出する制御部を備えることを特徴とする。
ここで、バッファーには、記録開始位置を基準して記録ヘッド駆動用の駆動データが展開される。従って、記録開始位置の状態、及び、バッファーの駆動前の駆動データの状態により、駆動データが正しく利用されて、正常に記録ヘッドが駆動されたか否か、すなわち、記録装置の記録に異常があったか否かを判別可能である。
そして、上記構成によれば、制御装置は、記録装置に対して、記録開始位置を示す情報、及び、バッファーの駆動データの情報の応答を要求し、記録装置から当該要求に対する応答を受け取った上で、記録開始位置の状態、及び、バッファーの状態を取得することにより、記録装置の記録の異常を迅速に検出できる。